(57)【特許請求の範囲】
【請求項１】
少なくとも１のカメラと、機器又は該機器周りの温度を検出し、検出温度値を出力する温度検出手段とを備える携帯電話機であって、
画像記憶部と、
前記１のカメラの駆動開始後に、前記温度検出手段から出力された前記検出温度値が第１の閾値を超えた時点から予め設定された猶予期間が経過したとき、前記１のカメラの間欠駆動又は連続駆動を一時休止させると共に、当該カメラの撮影画像に代えて、前記画像記憶部に予め格納されている所定の代替画像又はメッセージを相手側に送信するカメラ動作休止手段とを備え、
前記猶予期間は、
前記カメラの撮影動作を応急的に行うために必要な時間に設定されていることを特徴とする携帯電話機。
【請求項２】
前記１のカメラによる撮影画像を相手側に送信する構成とされていることを特徴とする請求項１記載の携帯電話機。
【請求項３】
前記１のカメラを用いるテレビ電話動作モードに対応する動作を行う構成とされていることを特徴とする請求項１又は２記載の携帯電話機。
【請求項４】
前記カメラ動作休止手段は、
前記温度検出手段から出力された前記検出温度値が前記第１の閾値を超えた時点から前記猶予期間が経過する前に、前記検出温度値が前記第１の閾値よりも低くなったとき、前記１のカメラの間欠駆動又は連続駆動を続行する構成とされていることを特徴とする請求項１記載の携帯電話機。
【請求項５】
前記カメラ動作休止手段は、
前記１のカメラの間欠駆動又は連続駆動を開始したとき、既に前記検出温度値が前記第１の閾値を超えている場合は、前記１のカメラの間欠駆動又は連続駆動を、前記猶予期間が経過した後、一時休止させる構成とされていることを特徴とする請求項１記載の携帯電話機。
【請求項６】
当該携帯電話機は、前記１のカメラに加えて、他のカメラも備え、
前記カメラ動作休止手段は、
前記１のカメラの駆動を休止させたとき、代替カメラとして前記他のカメラを駆動する構成とされていることを特徴とする請求項１乃至５のいずれか一に記載の携帯電話機。
【請求項７】
前記他のカメラは、
前記１のカメラよりも少ない電力で駆動される構成とされていることを特徴とする請求項６記載の携帯電話機。
【請求項８】
前記他のカメラによる撮影画像を相手側に送信する構成とされていることを特徴とする請求項６又は７記載の携帯電話機。
【請求項９】
前記１のカメラ又は前記他のカメラを用いるテレビ電話動作モードに対応する動作を行う構成とされていることを特徴とする請求項６、７又は８記載の携帯電話機。
【請求項１０】
当該携帯電話機は、表示手段を有し、
前記カメラ動作休止手段は、
前記１のカメラの駆動を休止したとき、該１のカメラの駆動が不能である旨を前記表示手段に表示する構成とされていることを特徴とする請求項１乃至９のいずれか一に記載の携帯電話機。
【請求項１１】
当該携帯電話機は、第１の前面に前記表示手段を備える第１のユニットと、第２の前面に操作部を備える第２のユニットとを備え、前記第１及び第２の前面同士が向かい合う態様で前記第１のユニットと前記第２のユニットとがヒンジ部を介して折り畳み可能に構成され、
前記他のカメラは、
前記第１のユニットの前記第１の前面の所定の位置に設けられ、
前記１のカメラは、
前記第２のユニットの背面の所定の位置に設けられていることを特徴とする請求項６乃至１０のいずれか一に記載の携帯電話機。
【請求項１２】
前記カメラ動作休止手段は、
前記温度検出手段により検出された前記温度検出値が前記第１の閾値よりも低い第２の閾値以下になったとき、前記１のカメラの駆動を復帰する構成とされていることを特徴とする請求項１乃至１１のいずれか一に記載の携帯電話機。
【請求項１３】
少なくとも１のカメラと、機器又は該機器周りの温度を検出し、検出温度値を出力する温度検出手段とを備える携帯電話機に用いられるカメラ動作休止方法であって、
画像記憶部と、カメラ動作休止手段とを設けておき、
前記カメラ動作休止手段が、前記１のカメラの駆動開始後に、前記温度検出手段から出力された前記検出温度値が第１の閾値を超えた時点から予め設定された猶予期間が経過したとき、前記１のカメラの間欠駆動又は連続駆動を一時休止させると共に、当該カメラの撮影画像に代えて、前記画像記憶部に予め格納されている所定の代替画像又はメッセージを相手側に送信すると共に、
前記猶予期間を、
前記カメラの撮影動作を応急的に行うために必要な時間に設定することを特徴とするカメラ動作休止方法。
【請求項１４】
前記１のカメラによる撮影画像を相手側に送信することを特徴とする請求項１３記載のカメラ動作休止方法。
【請求項１５】
前記１のカメラを用いるテレビ電話動作モードに対応する動作を行うことを特徴とする請求項１３又は１４記載のカメラ動作休止方法。
【請求項１６】
前記温度検出手段から出力された前記検出温度値が前記第１の閾値を超えた時点から前記猶予期間が経過する前に、前記検出温度値が前記第１の閾値よりも低くなったとき、前記１のカメラの間欠駆動又は連続駆動を続行することを特徴とする請求項１４記載のカメラ動作休止方法。
【請求項１７】
前記１のカメラの間欠駆動又は連続駆動を開始したとき、既に前記検出温度値が前記第１の閾値を超えている場合は、前記１のカメラの間欠駆動又は連続駆動を、前記猶予期間が経過した後、一時休止させる構成とされていることを特徴とする請求項１４記載のカメラ動作休止方法。
【請求項１８】
当該携帯電話機は、前記１のカメラに加えて、他のカメラも備え、
前記１のカメラの駆動を休止させたとき、代替カメラとして前記他のカメラを駆動することを特徴とする請求項１３乃至１７のいずれか一に記載のカメラ動作休止方法。
【請求項１９】
前記他のカメラによる撮影画像を相手側に送信することを特徴とする請求項１８記載のカメラ動作休止方法。
【請求項２０】
前記１のカメラ又は前記他のカメラを用いるテレビ電話動作モードに対応する動作を行うことを特徴とする請求項１８又は１９記載のカメラ動作休止方法。
【請求項２１】
当該携帯電話機は、表示手段を有し、
前記１のカメラの駆動を休止したとき、該１のカメラの駆動が不能である旨を前記表示手段に表示することを特徴とする請求項１３乃至２０のいずれか一に記載のカメラ動作休止方法。
【請求項２２】
前記温度検出手段により検出された前記温度検出値が前記第１の閾値よりも低い第２の閾値以下になったとき、前記１のカメラの駆動を復帰することを特徴とする請求項１３乃至２０のいずれか一に記載のカメラ動作休止方法。
【請求項２３】
コンピュータを、請求項１乃至１２のいずれか一に記載の携帯電話機として機能させるためのカメラ動作休止制御プログラム。
【発明の詳細な説明】
【技術分野】
【０００１】
この発明は、携帯電話機、該携帯電話機に用いられるカメラ動作休止方法及びカメラ動作休止制御プログラムに係り、たとえばテレビ（ＴＶ）電話機能など、動作時の消費電力が大きく、内部部品の発熱量の大きい機能を有する携帯電話機、該携帯電話機に用いられるカメラ動作休止方法及びカメラ動作休止制御プログラムに関する。
【背景技術】
【０００２】
携帯電話機は、近年では、通常の音声通話機能に加え、たとえばＴＶ電話機能など、複数の機能を有するものが広く普及している。
【０００３】
この種の携帯電話機は、従来では、たとえば図８に示すものがあった。
この携帯電話機１０は、アンテナ１１と、無線部１２と、マイク１３と、メインカメラ１４と、レシーバ１５と、画像記憶部１６と、操作キー１７と、ＬＣＤ（Liquid Crystal Display）１８と、サブカメラ１９と、制御部２０と、２次電池２１とから構成され、同２次電池２１の充電時には、充電器２２が接続される。アンテナ１１は、図示しない無線基地局との間で電波Ｗを送受信する。無線基地局は、図示しない移動通信制御局、在圏移動通信交換局及び関門移動通信交換局を介して一般電話回線網に接続されている。無線部１２は、図示しない受信回路、送信回路及び周波数シンセサイザなどを有している。マイク１３は、音声通話時にユーザの音声を受けて送話を行う。メインカメラ１４は、この携帯電話機１０の周辺の画像を取り込む。サブカメラ１９は、この携帯電話機１０の周辺の画像を取り込む他、ＴＶ電話としての動作時にユーザ側の画像を取り込む。レシーバ１５は、音声通話時に相手側の音声を発生する他、各種の情報に対応した音声を発生する。
【０００４】
画像記憶部１６は、メインカメラ１４又はサブカメラ１９により取り込まれた画像を記憶する他、ＴＶ電話としての動作時に相手側に送信するためのキャラクタ画像を記憶する。キャラクタ画像は、各カメラにより取り込まれた画像を送信しない場合に用いられる。操作キー１７は、送信キー、英字／カナ／漢字／数字の変換キー、電源のオン／オフキー、カーソル操作を行うための十文字キー、及び終了キーなどから構成されている。ＬＣＤ１８は、通常の音声通話では、たとえば、相手先の電話番号情報やアイコン情報など、諸々の情報を表示し、また、画像記憶部１６に記憶されている画像を表示する。制御部２０は、ＣＰＵ（中央処理装置）を含むＬＳＩ（大規模集積回路）などで構成され、この携帯電話機１０全体を制御する。２次電池２１は、たとえばリチウムイオン電池などで構成され、この携帯電話機１０の各部に電源を供給する。
【０００５】
この携帯電話機１０では、通常の音声通話が行われる他、ＴＶ電話としての動作時に、メインカメラ１４又はサブカメラ１９により取り込まれた画像が相手側に送信される。また、相手側から送信された画像がＬＣＤ１８に表示される。
【０００６】
上記の携帯電話機の他、従来、この種の技術としては、たとえば特許文献１に記載されたものがある。
特許文献１に記載されたカメラ及び携帯電話では、ＲＴＣ（Real Time Clock ）ＩＣから、日付データが送出される。ＲＴＣ制御部により、送出された日付データがＲＴＣデータ記憶部に格納される。温度センサＩＣにより、温度データを求めるための電圧が出力される。温度検出制御部により、温度センサＩＣの出力電圧が温度データに変換され、温度検出データ記憶部に格納される。ユーザ居場所推測制御部により、ＲＴＣデータ記憶部から読み出された日付データと、温度検出データ記憶部から読み出された温度データとに基づいてテーブルが参照され、ユーザの居場所が屋内であるか屋外であるかが推測される。カメラ制御部により、推測されたユーザの居場所に基づいて、ホワイトバランスなどの撮影モードが設定される。
【特許文献１】特開２００５−１１７４５７号公報（要約書、図１）
【発明の開示】
【発明が解決しようとする課題】
【０００７】
しかしながら、上記従来の携帯電話機では、次のような問題点があった。
すなわち、図８の携帯電話機１０では、たとえば、２次電池２１の充電中にＴＶ電話機能を用いる場合、消費電力が大きいため、発熱量も大きくなり、筐体の表面の温度も上昇する。このため、筐体の表面の温度上昇を抑えるべく、筐体の内部での放熱構造の形成、熱分散、低消費電力化などの対策が行われているが、近年の筐体の小型化、薄型化、更には機能の向上による消費電流の増加により、従来の温度上昇対策では不十分な状況になっている。たとえば、ＴＶ電話として用いられる場合などでは、ＬＳＩで構成された制御部２０によるデータ処理量も多く、さらにメインカメラ１４又はサブカメラ１９も動作しているため、筐体が温度上昇しやすい傾向にある。この場合、温度上昇によって携帯電話機１０が故障することは稀であるが、内部の各部品の劣化の進行が速くなるという問題点がある。また、無線部１２には、通常、同無線部１２の動作の温度補償を行うための図示しない温度センサが設けられているが、同温度センサには、筐体の温度の上昇を抑制する働きはない。
【０００８】
また、特許文献１に記載されたカメラ及び携帯電話では、日付データ及び温度データに基づいてユーザの居場所が屋内であるか屋外であるかが推測され、この推測されたユーザの居場所に基づいて撮影モードが設定されるが、筐体の温度上昇を抑制するものではないため、上記の問題点は、改善されない。
【０００９】
この発明は、上述の事情に鑑みてなされたもので、温度上昇が抑制される携帯電話機、該携帯電話機に用いられるカメラ動作休止方法及びカメラ動作休止制御プログラムを提供することを目的としている。
【課題を解決するための手段】
【００１０】
上記課題を解決するために、請求項１記載の発明は、少なくとも１のカメラと、機器又は該機器周りの温度を検出し、検出温度値を出力する温度検出手段とを備える携帯電話機に係り、画像記憶部と、前記１のカメラの駆動開始後に、前記温度検出手段から出力された前記検出温度値が第１の閾値を超えた時点から予め設定された猶予期間が経過したとき、前記１のカメラの間欠駆動又は連続駆動を一時休止させると共に、当該カメラの撮影画像に代えて、前記画像記憶部に予め格納されている所定の代替画像又はメッセージを相手側に送信するカメラ動作休止手段とを備えてなることを特徴としている。
【００１１】
請求項２記載の発明は、請求項１記載の携帯電話機に係り、前記１のカメラによる撮影画像を相手側に送信する構成とされていることを特徴としている。
【００１２】
請求項３記載の発明は、請求項１又は２記載の携帯電話機に係り、前記１のカメラを用いるテレビ電話動作モードに対応する動作を行う構成とされていることを特徴としている。
【００１４】
また、請求項４記載の発明は、請求項１記載の携帯電話機に係り、前記カメラ動作休止手段は、前記温度検出手段から出力された前記検出温度値が前記第１の閾値を超えた時点から前記猶予期間が経過する前に、前記検出温度値が前記第１の閾値よりも低くなったとき、前記１のカメラの間欠駆動又は連続駆動を続行する構成とされていることを特徴としている。
【００１５】
また、請求項５記載の発明は、請求項１記載の携帯電話機に係り、前記カメラ動作休止手段は、前記１のカメラの間欠駆動又は連続駆動を開始したとき、既に前記検出温度値が前記第１の閾値を超えている場合は、前記１のカメラの間欠駆動又は連続駆動を、前記猶予期間が経過した後、一時休止させる構成とされていることを特徴としている。
【００１７】
また、請求項６記載の発明は、請求項１乃至５のいずれか一に記載の携帯電話機に係り、当該携帯電話機は、前記１のカメラに加えて、他のカメラも備え、前記カメラ動作休止手段は、前記１のカメラの駆動を休止させたとき、代替カメラとして前記他のカメラを駆動する構成とされていることを特徴としている。
【００１８】
また、請求項７記載の発明は、請求項６記載の携帯電話機に係り、前記他のカメラは、前記１のカメラよりも少ない電力で駆動される構成とされていることを特徴としている。
【００１９】
また、請求項８記載の発明は、請求項６又は７記載の携帯電話機に係り、前記他のカメラによる撮影画像を相手側に送信する構成とされていることを特徴としている。
【００２０】
また、請求項９記載の発明は、請求項６、７又は８記載の携帯電話機に係り、前記１のカメラ又は前記他のカメラを用いるテレビ電話動作モードに対応する動作を行う構成とされていることを特徴としている。
【００２１】
また、請求項１０記載の発明は、請求項１乃至９のいずれか一に記載の携帯電話機に係り、当該携帯電話機は、表示手段を有し、前記カメラ動作休止手段は、前記１のカメラの駆動を休止したとき、該１のカメラの駆動が不能である旨を前記表示手段に表示する構成とされていることを特徴としている。
【００２２】
また、請求項１１記載の発明は、請求項６乃至１０のいずれか一に記載の携帯電話機に係り、当該携帯電話機は、第１の前面に前記表示手段を備える第１のユニットと、第２の前面に操作部を備える第２のユニットとを備え、前記第１及び第２の前面同士が向かい合う態様で前記第１のユニットと前記第２のユニットとがヒンジ部を介して折り畳み可能に構成され、前記他のカメラは、前記第１のユニットの前記第１の前面の所定の位置に設けられ、前記１のカメラは、前記第２のユニットの背面の所定の位置に設けられていることを特徴としている。
【００２３】
また、請求項１２記載の発明は、請求項１乃至１１のいずれか一に記載の携帯電話機に係り、前記カメラ動作休止手段は、前記温度検出手段により検出された前記温度検出値が前記第１の閾値よりも低い第２の閾値以下になったとき、前記１のカメラの駆動を復帰する構成とされていることを特徴としている。
【００２４】
また、請求項１３記載の発明は、少なくとも１のカメラと、機器又は該機器周りの温度を検出し、検出温度値を出力する温度検出手段とを備える携帯電話機に用いられるカメラ動作休止方法に係り、画像記憶部と、メラ動作休止手段とを設けておき、前記カメラ動作休止手段が、前記１のカメラの駆動開始後に、前記温度検出手段から出力された前記検出温度値が第１の閾値を超えた時点から予め設定された猶予期間が経過したとき、前記１のカメラの間欠駆動又は連続駆動を一時休止させると共に、当該カメラの撮影画像に代えて、前記画像記憶部に予め格納されている所定の代替画像又はメッセージを相手側に送信することを特徴としている。
【００２５】
また、請求項１４記載の発明は、請求項１３記載のカメラ動作休止方法に係り、前記１のカメラによる撮影画像を相手側に送信することを特徴としている。
【００２６】
また、請求項１５記載の発明は、請求項１３又は１４記載のカメラ動作休止方法に係り、前記１のカメラを用いるテレビ電話動作モードに対応する動作を行うことを特徴としている。
【００２８】
また、請求項１６記載の発明は、請求項１４記載のカメラ動作休止方法に係り、前記温度検出手段から出力された前記検出温度値が前記第１の閾値を超えた時点から前記猶予期間が経過する前に、前記検出温度値が前記第１の閾値よりも低くなったとき、前記１のカメラの間欠駆動又は連続駆動を続行することを特徴としている。
【００２９】
また、請求項１７記載の発明は、請求項１４記載のカメラ動作休止方法に係り、前記１のカメラの間欠駆動又は連続駆動を開始したとき、既に前記検出温度値が前記第１の閾値を超えている場合は、前記１のカメラの間欠駆動又は連続駆動を、前記猶予期間が経過した後、一時休止させる構成とされていることを特徴としている。
【００３１】
また、請求項１８記載の発明は、請求項１３乃至１７のいずれか一に記載のカメラ動作休止方法に係り、当該携帯電話機は、前記１のカメラに加えて、他のカメラも備え、前記１のカメラの駆動を休止させたとき、代替カメラとして前記他のカメラを駆動することを特徴としている。
【００３２】
また、請求項１９載の発明は、請求項１８記載のカメラ動作休止方法に係り、前記他のカメラによる撮影画像を相手側に送信することを特徴としている。
【００３３】
また、請求項２０記載の発明は、請求項１８又は１９記載のカメラ動作休止方法に係り、前記１のカメラ又は前記他のカメラを用いるテレビ電話動作モードに対応する動作を行うことを特徴としている。
【００３４】
また、請求項２１記載の発明は、請求項１３乃至２０のいずれか一に記載のカメラ動作休止方法に係り、当該携帯電話機は、表示手段を有し、前記１のカメラの駆動を休止したとき、該１のカメラの駆動が不能である旨を前記表示手段に表示することを特徴としている。
【００３５】
また、請求項２２記載の発明は、請求項１３乃至２０のいずれか一に記載のカメラ動作休止方法に係り、前記温度検出手段により検出された前記温度検出値が前記第１の閾値よりも低い第２の閾値以下になったとき、前記１のカメラの駆動を復帰することを特徴としている。
【００３６】
また、請求項２３記載の発明は、カメラ動作休止制御プログラムに係り、コンピュータを、請求項１乃至１２のいずれか一に記載の携帯電話機として機能させることを特徴としている。
【発明の効果】
【００３７】
この発明の構成によれば、カメラ動作休止手段により、１のカメラの駆動後に、温度検出手段から出力された検出温度値が第１の閾値を超えたときは、同１のカメラの間欠駆動又は連続駆動が一時休止されるので、携帯電話機の筐体の温度の上昇を抑制できる。また、カメラ動作休止手段により、上記温度検出手段から出力された検出温度値が第１の閾値を超えた時点から予め設定された猶予期間が計時されたとき、上記１のカメラの間欠駆動又は連続駆動が一時休止されるので、同カメラの動作が開始したときに検出温度値が既に第１の閾値を超えている場合でも、同カメラの駆動に応急的に対応できる。また、他のカメラが第１のユニットの第１の前面の所定の位置に設けられているので、発熱する部品が第２のユニット側に集中しなくなり、同第２のユニット側での集中的な温度上昇を抑制できる。
【発明を実施するための最良の形態】
【００３８】
メインカメラとサブカメラとを用いるＴＶ電話の動作、及び２次電池の充電を行い、筐体の温度が閾値を超えたとき、猶予期間が経過した後に同メインカメラの撮影動作が休止されると共に、同メインカメラが動作不能である旨がポップアップ表示され、同メインカメラによる撮影画像に代えて、代替画像が相手側に送信される携帯電話機、該携帯電話機に用いられるカメラ動作休止方法及びカメラ動作休止制御プログラムを提供する。
【実施例】
【００３９】
図１は、この発明の一実施例である携帯電話機の要部の電気的構成を示すブロック図である。
この例の携帯電話機は、同図に示すように、アンテナ３１と、無線部３２と、マイク３３と、メインカメラ３４と、レシーバ３５と、画像記憶部３６と、操作キー３７と、ＬＣＤ３８と、サブカメラ３９と、制御部４０と、温度センサ４１と、Bluetooth デバイス４２と、２次電池４３とから構成され、同２次電池４３の充電時には、充電器４４が接続される。アンテナ３１は、図示しない無線基地局との間で電波Ｗを送受信する。無線基地局は、図示しない移動通信制御局、在圏移動通信交換局及び関門移動通信交換局を介して一般電話回線網に接続されている。無線部３２は、図示しない受信回路、送信回路及び周波数シンセサイザなどを有している。
【００４０】
マイク３３は、ユーザの音声を受けて送話を行う。メインカメラ３４は、たとえば４００万画素のＣＣＤ（Charge Coupled Device 、電荷結合素子）センサなどを有し、携帯電話機３０の周辺の画像を取り込むＴＶ電話としての動作時にユーザの所望の画像を取り込む。サブカメラ３９は、この携帯電話機３０の周辺の画像を取り込む他、ＴＶ電話としての動作時にユーザ側の画像を取り込む。また、サブカメラ３９は、たとえば３０万画素のＣＣＤセンサなどを有するため、メインカメラ３４よりも比較的少ない電力で動作し、動作時の発熱量がメインカメラ３４よりも小さい。また、このときの制御部４０の発熱量も、メインカメラ３４の撮影動作時より小さい。レシーバ３５は、着メロや通話時の音声など、各種の情報に対応した音声を発生する。
【００４１】
画像記憶部３６は、たとえばＲＡＭ（Randam Access Memory）やＲＯＭ（Read Only Memory）などで構成され、メインカメラ３４又はサブカメラ３９により取り込まれた画像を記憶する他、ＴＶ電話としての動作時に相手側に送信するためのキャラクタ画像を記憶する。キャラクタ画像は、各カメラにより取り込まれた画像を送信しない場合に用いられる。操作キー３７は、送信キー、英字／カナ／漢字／数字の変換キー、電源のオン／オフキー、カーソル操作を行うための十文字キー、及び終了キーなどから構成されている。ＬＣＤ３８は、通常の音声通話では、たとえば、相手先の電話番号情報やアイコン情報など、諸々の情報を表示し、また、画像記憶部３６に記憶されている画像を表示する。温度センサ４１は、携帯電話機３０の筐体又は同筐体周りの温度を検出して温度検出値ｔを出力する。Bluetooth デバイス４２は、近距離無線データ通信技術“Bluetooth ”の無線通信仕様に基づく通信が可能に構成され、所定の距離の範囲内でBluetooth 対応の図示しない電子機器と無線接続されるようになっている。２次電池４３は、たとえばリチウムイオン電池などで構成され、この携帯電話機３０の各部に電源を供給する。
【００４２】
制御部４０は、携帯電話機３０全体を制御するＣＰＵ（中央処理装置）４０ａ及び同ＣＰＵ４０ａを動作させるためのカメラ動作休止制御プログラムが記録されたＲＯＭ（リード・オンリ・メモリ）４０ｂを有している。特に、この実施例では、制御部４０は、メインカメラ３４を駆動すると共に無線部３２を制御して同メインカメラ３４による撮影画像を相手側に送信する。この場合、制御部４０は、たとえば、２次電池４３に対する充電動作モード、及びメインカメラ３４とサブカメラ３９とを用いるＴＶ電話動作モードに対応する動作を行う。
【００４３】
一方、制御部４０は、計時機能を有し、同計時機能により、温度センサ４１から出力された温度検出値ｔが第１の閾値を超えた時点から予め設定された猶予期間を計時したとき、メインカメラ３４の撮影動作（間欠駆動又は連続駆動）を一時休止し、同メインカメラ３４の撮影動作が不能である旨をＬＣＤ３８に表示すると共に、画像記憶部３６に記憶されているキャラクタ画像（代替画像）又はメッセージを相手側に送信する動作に切り替える。
また、制御部４０は、温度センサ４１から出力された温度検出値ｔが第１の閾値を超えた時点から上記猶予期間が経過する前に、同検出温度値が同第１の閾値よりも低くなったとき、メインカメラ３４の撮影動作を続行する。また、制御部４０は、温度センサ４１から出力された温度検出値ｔが上記第１の閾値よりも低い第２の閾値以下になったとき、メインカメラ３４の撮影動作を復帰させる。この場合、制御部４０は、メインカメラ３４又はサブカメラ３９を用いるＴＶ電話動作モードに対応する動作を行う。また、上記第１の閾値、第２の閾値及び猶予期間は、ＲＯＭ４０ｂに不揮発性テーブルとして格納されている。
【００４４】
図２は、図１中のＲＯＭ４０ｂに格納されている第１の閾値、第２の閾値及び猶予期間を示す図である。
同図２に示すように、第１の閾値（温度Ａ）はａ℃（たとえば４０℃）、第２の閾値（温度Ｂ）はｂ℃（たとえば３５℃）、及び猶予期間（一定時間Ｘ）がｘ分（たとえば５分）として設定されている。また、猶予期間（ｘ分）は、たとえば夏季などにおいて、メインカメラ３４の駆動が開始された時点で既に温度検出値ｔが常に第１の閾値（温度Ａ）を超えている場合でも、メインカメラ３４の撮影動作を応急的に行うために必要な時間に設定されている。
【００４５】
図３及び図４は、図１の携帯電話機３０の筐体が折り畳み式に構成されている場合の開状態を示す外観図であり、同図３は正面図、及び同図４が背面図である。
この携帯電話機３０は、図３に示すように、ユニット５１と、ユニット５２と、ヒンジ部５３とを備えている。ユニット５１は、前面にレシーバ３５、ＬＣＤ３８及びサブカメラ３９を備えている。ユニット５２は、前面にマイク３３及び操作キー３７を備え、内部には、図１中の画像記憶部３６、制御部４０及び２次電池４３が備えられている。また、図４に示すように、ユニット５２は、背面にメインカメラ３４が組み込まれ、かつ、筐体の温度を検出可能なように、内部の所定の部位に温度センサ４１が組み込まれている。そして、ユニット５１の前面とユニット５２の前面とが向かい合う態様で同ユニット５１と同ユニット５２とがヒンジ部５３を介して折り畳まれるように構成されている。
【００４６】
図５は、携帯電話機３０のＴＶ電話動作モードに対応する動作を説明する状態遷移図、及び、図６が、図５中の状態遷移に対応した温度検出値ｔの変化を示すシーケンス図である。
これらの図を参照して、この例の携帯電話機に用いられるカメラ動作休止方法の処理内容について説明する。
この携帯電話機３０では、メインカメラ３４の撮影動作時に、温度センサ４１から出力される温度検出値ｔが第１の閾値（ａ℃）を超えたとき、猶予期間（ｘ分）が経過した後、同温度検出値ｔが同第１の閾値を超えている場合、同メインカメラ３４の撮影動作が休止され、代替画像を相手側に送信する動作に切り替えられる。また、温度検出値ｔが第２の閾値（ｂ℃）以下になったとき、メインカメラ３４の撮影動作が復帰する。
【００４７】
すなわち、携帯電話機３０において、２次電池４３に対する充電とＴＶ電話を同時に実施した場合、充電による２次電池４３の温度上昇、及びＴＶ電話動作モードに対応した処理を行う制御部４０による温度上昇、更には、メインカメラ３４を起動させている場合は、同メインカメラ３４の温度上昇が、ユニット５２側に集中し、通常の音声通話動作などよりも温度が上昇しやすくなる。このとき、メインカメラ３４の撮影動作を休止し、画像記憶部３６に記憶されているキャラクタ画像（代替画像）を相手側に送信することにより、ユニット５２側での集中的な温度上昇が抑えられる。
【００４８】
たとえば、図５に示すように、ＴＶ電話に対応した動作が開始されたとき、メインカメラ３４とサブカメラ３９とを用いるＴＶ電話動作モードに対応する動作が行われ（状態［１］）、この状態で２次電池４３に対する充電も行われ、状態［２］に遷移する。この後、温度センサ４１により定期的に温度検出値ｔが出力され、同温度検出値ｔが第１の閾値（温度Ａ）を超えたとき、猶予期間（ｘ分）が経過した後に同メインカメラ３４を用いる動作が休止され、同メインカメラ３４の撮影動作が不能であることを表すメッセージ（たとえば、「外側カメラを使用できません。代替画像を送信します」）がＬＣＤ３８にポップアップ表示される。また、たとえば、２次電池４３の充電が完了した場合や、周囲の環境が低温の場合などでは、猶予期間が経過する前に温度検出値ｔが第１の閾値（温度Ａ）未満になることがあり、このとき、状態［１］に戻る。
【００４９】
そして、メインカメラ３４による撮影画像に代えて、代替画像（たとえば、キャラクタ画像など）が相手側に送信され、状態［３］に遷移する。ここで、２次電池４３に対する充電が継続されている場合や、周囲の環境が高温の場合などでは、温度センサ４１から出力された温度検出値ｔが第２の閾値（温度Ｂ）より上となり、状態［３］のままとなる。この後、たとえば、２次電池４３の充電が完了又は停止された場合や、周囲の環境が低温の場合などでは、温度検出値ｔが第２の閾値（温度Ｂ）以下になって上記状態［１］に戻り、メインカメラ３４又はサブカメラ３９を用いるＴＶ電話動作モードに対応する動作が行われる。
【００５０】
この場合、温度検出値ｔは、たとえば図６に示すように変化する。すなわち、時刻ｔ0 乃至時刻ｔ1 までの状態［１］では、温度検出値ｔが２５℃から漸次増加してａ℃になる。時刻ｔ1 乃至時刻ｔ2 までの状態［２］では、猶予期間（ｘ分）に温度がａ℃から漸次増加してａ＋α℃になる。時刻ｔ2 乃至時刻ｔ3 までの状態［３］では、代替画像が相手側に送信されるため、温度がａ＋α℃からａ℃以下に低下し、この後、ユーザにより充電器４４が外されて２次電池４３に対する充電が停止され（充電ＯＦＦ）、温度がｂ℃以下に低下する。時刻ｔ3 以降の状態［１］では、温度がｂ℃以上に上昇するが、２次電池４３に対する充電が行われていないため、ａ℃を超えることはない。
【００５１】
以上のように、この実施例では、メインカメラ３４の撮影動作時に、温度センサ４１から出力された温度検出値ｔが第１の閾値（ａ℃）を超えたとき、猶予期間（ｘ分）が経過した後に同メインカメラ３４の撮影動作が休止され、代替画像を相手側に送信する動作に切り替えられるので、筐体の温度の上昇が抑制される。また、猶予期間（ｘ分）が設定されているので、たとえば夏季などにおいて、メインカメラ３４の撮影動作が開始したときに温度検出値ｔが既に第１の閾値（温度Ａ）を超えている場合でも、同メインカメラ３４の撮影動作に応急的に対応できる。
【００５２】
以上、この発明の実施例を図面により詳述してきたが、具体的な構成は同実施例に限られるものではなく、この発明の要旨を逸脱しない範囲の設計の変更などがあっても、この発明に含まれる。
たとえば、図７に示すように、状態［２］の後でメインカメラ３４を用いる動作が休止されたとき、同メインカメラ３４の撮影動作が不能であることを表すメッセージは、たとえば、「外側カメラを使用できません。内側カメラを使用します」としても良い。このとき、メインカメラ３４による撮影画像に代えて、サブカメラ３９による撮影画像が相手側に送信されるか、又は、ユーザの操作により、音声通話動作モードに対応する動作が行われる。この場合、サブカメラ３９がユニット５１に設けられているので、発熱する部品がユニット５２側に集中しなくなり、同ユニット５２側での集中的な温度上昇が抑えられる。
【００５３】
また、２次電池４３に対する充電中の動作は、ＴＶ電話に対応した動作に限らず、音声通話及びカメラ起動や、音声通話及び音楽再生（ＢＧＭ）、音声通話及びBluetooth デバイス４２によるBluetooth 通信、音声通話及びＴＶ受信など、温度検出値ｔが第１の閾値（温度Ａ）を超える状態となる動作であれば良い。この場合、対応する動作が不能であることを表すメッセージがＬＣＤ３８にポップアップ表示され、動作が休止される。また、携帯電話機３０の筐体は、折り畳み式に限らず、ストレートタイプでも良い。また、メインカメラ３４及びサブカメラ３９は、ＣＣＤセンサに限らず、たとえばＣＭＯＳセンサなどを有するものでも良い。また、上記実施例では、メインカメラ３４の撮影動作が休止されたとき、代替画像が相手側に送信されるようになっているが、同メインカメラ３４の撮影動作を休止するのみでも良い。また、メインカメラ３４の撮影動作が不能であることを表すメッセージは、たとえば「温度上昇のため」など、動作不能の理由を含めても良い。
【産業上の利用可能性】
【００５４】
この発明は、カメラを備える携帯電話機全般に適用でき、特に、筐体が小型化及び薄型化されている場合に用いて有効である。
【図面の簡単な説明】
【００５５】
【図１】この発明の一実施例である携帯電話機の要部の電気的構成を示すブロック図である。
【図２】図１中のＲＯＭ４０ｂに格納されている第１の閾値、第２の閾値及び猶予期間を示す図である。
【図３】図１の携帯電話機３０の外観図である。
【図４】図１の携帯電話機３０の外観図である。
【図５】携帯電話機３０のＴＶ電話動作モードに対応する動作を説明する状態遷移図である。
【図６】図５中の状態遷移に対応した温度検出値ｔの変化を示すシーケンス図である。
【図７】携帯電話機３０のＴＶ電話動作モードに対応する動作の変形例を説明する状態遷移図である。
【図８】従来の携帯電話機の要部の電気的構成を示すブロック図である。
【符号の説明】
【００５６】
３０      携帯電話機
３１      アンテナ（携帯電話機の一部）
３２      無線部（携帯電話機の一部）
３３      マイク（携帯電話機の一部）
３４      メインカメラ（１のカメラ、携帯電話機の一部）
３５      レシーバ（携帯電話機の一部）
３６      画像記憶部（携帯電話機の一部）
３７      操作キー（携帯電話機の一部）
３８      ＬＣＤ（表示手段、携帯電話機の一部）
３９      サブカメラ（他のカメラ、携帯電話機の一部）
４０      制御部（カメラ動作休止手段、携帯電話機の一部）
４１      温度センサ（温度検出手段、携帯電話機の一部）
４２      Bluetooth デバイス（携帯電話機の一部）
４３      ２次電池（携帯電話機の一部）
４４      充電器
４０ａ      ＣＰＵ（中央処理装置、携帯電話機の一部）
４０ｂ      ＲＯＭ（リード・オンリ・メモリ、携帯電話機の一部）
５１      ユニット（第１のユニット、携帯電話機の筐体の一部）
５２      ユニット（第２のユニット、携帯電話機の筐体の一部）
５３      ヒンジ部（携帯電話機の筐体の一部）
【図１】
0004793095.tif 000002
【図２】
0004793095.tif 000003
【図３】
0004793095.tif 000004
【図４】
0004793095.tif 000005
【図５】
0004793095.tif 000006
【図６】
0004793095.tif 000007
【図７】
0004793095.tif 000008
【図８】
0004793095.tif 000009